(57)【要約】【課題】バランス棒を備えた自動調整式マットレスおよび一体化移動機構を提供すること。【解決手段】自己調整式マットレスは、支持部材、上部および底部フォーム層、移動機構およびバランス棒を備えている。支持部材は、長手および横棒のフレームと、棒の間の網パネルとを備えている。支持部材は、上側および下側部分に回動可能に連結された中間部分を有する。上側、中間および下側部分は、マットレスの平らな設定状態で同一平面上にある。移動機構は、上側および下側部分を中間部分に対して回動させることによって、傾けた設定状態にマットレスを移動させる多数の電気モータを備えている。底部フォーム層は、支持部材の周りで成形されている。成形フォームは、網パネル内の孔の上へ、下へおよびそれを通して流れる。上部フォーム層はその後、底部フォーム層の上部に糊付けまたは成形されている。バランス棒は、支持部材の上側部分の下で半分より短く延びている。【選択図】図２
2011218142.tif 000002
【特許請求の範囲】
【請求項１】
上側部分、中間部分および下側部分を備えた棒の支持フレームであって、前記中間部分は前記上側部分および前記下側部分の両方に回動可能に連結され、前記上側部分、前記中間部分および前記下側部分は、前記調節可能なマットレスが平らな設定状態である場合に、同一平面上にある支持フレームと、
上部表面を備えた上部フォーム層と、
棒の前記支持フレームが、前記上部フォーム層の前記上部表面と前記底部フォーム層の前記底部表面の間に配置されている、底部表面を備えた底部フォーム層と、
糊を使用することなく、前記底部フォーム層を棒の前記支持フレームに取り付ける手段と
を備えた調節可能なマットレス。
【請求項２】
前記底部フォーム層は、前記手段の上に、下におよびそれを通して成形される、請求項１に記載の調節可能なマットレス。
【請求項３】
前記手段は孔を有し、棒の前記支持フレームに取り付けられており、前記底部フォーム層のフォームは前記孔の中に配置されている、請求項１に記載の調節可能なマットレス。
【請求項４】
底部表面を備えたバランス棒をさらに備えた調節可能なマットレスであって、前記バランス棒の前記底部表面は、前記中間部分の下で前記底部フォーム層の前記底部表面と同一平面上にあり、前記バランス棒は、前記調節可能なマットレスが平らな設定状態である場合、前記上側部分の下で半分より短く延びている、請求項１に記載の調節可能なマットレス。
【請求項５】
上側部分、中間部分および下側部分を備えた支持部材であって、前記中間部分は前記上側部分および前記下側部分の両方に回動可能に連結され、前記上側部分、前記中間部分および前記下側部分は、前記調節可能なマットレスが平らな設定状態である場合に、同一平面上にある支持部材と、
上部表面を備えた上部フォーム層と、
前記支持部材が、前記上部フォーム層の前記上部表面と前記底部フォーム層の前記底部表面の間に配置されている、底部表面を備えた底部フォーム層と、
底部表面を備えたバランス棒であって、前記バランス棒の前記底部表面は、前記中間部分の下で前記底部フォーム層の前記底部表面と同一平面上にあり、前記バランス棒は、前記調節可能なマットレスが平らな設定状態である場合、前記上側部分の下で半分より短く延びているバランス棒と
を備えた調節可能なマットレス。
【請求項６】
前記上側部分は上半分および下半分を有し、前記バランス棒の前記底部表面は平面内にあり、前記上側部分が前記バランス棒の前記底部表面の前記平面から５度傾斜した場合に、前記調節可能なマットレスの部分が前記上側部分の前記上半分の真下では、前記バランス棒の前記底部表面の前記平面内に配置されていない、請求項５に記載の調節可能なマットレス。
【請求項７】
前記バランス棒は、前記調節可能なマットレスが平らな設定状態である場合に、前記上側部分の下で少なくとも３分の１だけ延びている、請求項５に記載の調節可能なマットレス。
【請求項８】
前記上部フォーム層、前記支持部材、前記底部フォーム層および前記バランス棒を入れたマットレス・カバーをさらに備えた、請求項５に記載の調節可能なマットレス。
【請求項９】
前記マットレス・カバーは伸縮性があり、前記バランス棒の前記底部表面は平面内にあり、前記マットレス・カバーは、前記上側部分が前記バランス棒の前記底部表面の前記平面から傾斜した場合に、前記支持部材の前記上側部分の下で前記バランス棒と前記底部フォーム層の間に伸びている、請求項８に記載の調節可能なマットレス。
【請求項１０】
前記マットレス・カバーは上部部分および底部部分を有し、前記底部部分は第１の伸縮性材料で作られており、前記上部部分は前記第１の材料ほど伸縮性がない第２の材料で作られており、前記底部部分は、前記上側部分が前記バランス棒の前記底部表面の前記平面から傾斜した場合に、前記支持部材の前記上側部分の下で前記バランス棒と前記底部フォーム層の間に伸びている、請求項９に記載の調節可能なマットレス。
【請求項１１】
前記支持部材は、前記下側部分に回動可能に連結された脚部分を備えており、前記バランス棒の前記底部表面は平面内にあり、前記脚部分は、前記調節可能なマットレスが前記平らな設定状態である場合にも、前記下側部分が前記バランス棒の前記底部表面の前記平面から傾斜した場合にも、前記中間部分と平行なままである、請求項５に記載の調節可能なマットレス。
【請求項１２】
前記中間部分に対して前記上側部分を傾斜させるようになっている、前記上部フォーム層の前記上部表面と前記底部フォーム層の前記底部表面の間に配置された電気モータをさらに備えた、請求項５に記載の調節可能なマットレス。
【請求項１３】
前記支持部材の前記上側部分は網パネルを備えており、前記底部フォーム層は、前記網パネルの上に、下におよびそれを通して成形されている、請求項５に記載の調節可能なマットレス。
【請求項１４】
底部フォーム層を支持部材に取り付けるステップであって、前記支持部材は上側部分、中間部分および下側部分を備えており、前記中間部分は前記上側部分および前記下側部分の両方に回動可能に連結されているステップと、
上部フォーム層を前記底部フォーム層に取り付けるステップであって、前記支持部材は、前記上部フォーム層の上部表面と前記底部フォーム層の底部表面の間に配置されているステップと、
バランス棒を前記支持部材に連結するステップであって、前記バランス棒は、前記中間部分の下で前記底部フォーム層の前記底部表面と同一平面上にある底部表面を有し、前記バランス棒は、前記上側部分が前記バランス棒の前記底部表面と平行である場合、前記上側部分の下で半分より短く延びているステップと、
マットレス・カバー内に前記上部フォーム層、前記支持部材、前記底部フォーム層および前記バランス棒を入れるステップと
を含む方法。
【請求項１５】
前記バランス棒は、前記上側部分が前記バランス棒の前記底部表面と平行である場合に、前記上側部分の下で少なくとも３分の１だけ延びている、請求項１４に記載の方法。
【請求項１６】
前記支持部材は、前記下側部分に回動可能に連結された脚部分を備えており、前記バランス棒の前記底部表面は平面内にあり、前記脚部分は、前記下側部分が前記バランス棒の前記底部表面の前記平面と平行である場合にも、下側部分が前記バランス棒の前記底部表面の前記平面から傾斜した場合にも、前記中間部分と平行なままである、請求項１４に記載の方法。
【請求項１７】
前記支持部材の前記上側部分は網パネルを備えており、前記底部フォーム層は、前記網パネルの上に、下におよびそれを通して前記底部フォーム層を成形することによって前記支持部材に取り付けられている、請求項１４に記載の方法。
【発明の詳細な説明】
【技術分野】
【０００１】
本発明は、調節可能なベッドに関し、より詳細には、自動調整式フォーム・マットレスの内側に入れられた移動機構に関する。
【背景技術】
【０００２】
調節可能なベッドは、平均的な消費者には長く利用されてきた。それにも関わらず、平均的なアメリカの家庭は、調節可能なベッドを持っていない。多くの人は、調節可能なベッドを病人および老人に関連付ける。１つは、若い成人のアパート、または若い家族の家でよりも病院または回復センターで調節可能なベッドを見ることがはるかに多い。しかし、若いまたは中年の消費者も、ベッドでより快適にテレビを見たり読書したりすることが可能になる利便性による利益を受けることができる。
【０００３】
残念なことに、調節可能なベッドには、それから与えられる付加的快適性および利便性を上回ると多くの消費者が考える、多数の欠点がある。１つの欠点は、従来の調節可能なベッドは、ボックス・スプリングまたはプラットフォーム・ベッドと組み合わせて使用することができないということである。従来の調節可能なベッドのマットレスは、ボックス・スプリングの代わりに、調節可能な支持部材上にある。調節可能な支持部材は、移動機構、および車輪を備えたフレームに連結されている。車輪付きフレーム、支持部材および移動機構は、ボックス・スプリングまたはプラットフォーム・ベッドの上部に容易に嵌らない。従来の調節可能なベッドを使用するためには、消費者は、ヘッドボードまたはフットボードによって枠が付けられたプラットフォーム・ベッドまたはボックス・スプリングの美的品質を諦めなければならない。したがって、従来の調節可能なベッドは、寝室とは対照的に、病室の外観を与える。
【０００４】
図１（従来技術）は、調節可能な支持部材１１、移動機構１２および車輪付きのフレーム１３を備えた従来の調節可能なベッド１０を示している。移動機構１２は、図１の斜視図で、調節可能な部材１１の下に隠されたモータによって位置決めされる。マットレス１４は、調節可能な支持部材１１の上にある。多くの若いおよび中年の消費者は、自分達の生活スタイルに合わず、病院にあるのがより適当であると感じているので、図１に示すような調節可能なベッドを購入することは思い留まっている。調節可能なベッドの製造者がより大きな消費者基盤に到達するために、格好の良いプラットフォーム・ベッドまたはヘッドボードおよびフットボードとともに使用することができる調節可能なベッドが望まれている。
【０００５】
従来の調節可能なベッドの別の欠点は、マットレスが下にある調節可能な支持部材に合うように傾斜着席位置で十分に屈曲しないということである。図１の調節可能なベッド１０は、傾斜着座位置にある。図１では、利用者の太腿の下の部分のマットレス１４は、調節可能な支持部材１１に合うように十分屈曲せず、間隙１５を作っている。マットレス１４は、調節可能な支持部材１１の形状に適切には一致しないので、マットレス１４の就寝面は、調節可能な支持部材１１によって形成された設定状態を達成せず、調節可能なベッド１０の使用者は所望の静止位置から利益を得られない。調節可能なベッド１０によって達成される様々な着席およびリクライニング位置は、どのマットレスが使用されているかによって決まる。
【０００６】
従来の調節可能なベッドの別の欠点は、使用者がベッドに出入りする際に、マットレスが横から横に、および端部から端部に移動またはスライドする傾向があることである。この問題を解決する試みで、いくつかの従来の調節可能なベッドはフット・レールを利用している。例えば、調節可能なベッド１０は、屈曲した金属管の形のフット・レール１６を有する。しかし、フット・レール１６は、調節可能なベッド１０が図１に示すように高い着席位置に置かれた場合に、マットレス１４が調節可能な支持部材１１の上部を越えて突出するのを防止しない。加えて、フット・レール１６は、マットレス１４の脚の就寝面の近くにある金属棒である。使用者の脚がマットレス１４の端部の上で勢いよく下げられた場合、使用者の脚が金属棒にぶつかる可能性がある。
【０００７】
そして、フット・レール１６は、マットレス１４が横から横に移動することを防止しない。図１は、マットレス１４の脚が左側１７に移動され、マットレスの頭部がリクライニングしている使用者の斜視図から左側１８に移動されていることを示している。マットレス１４は、調節可能なベッド１０内へのそれぞれの出入り後に、大きく歪曲される。この問題を解消するために、いくつかの従来の調節可能なベッドは、米国特許第５，７３７，７８３号に記載されたような、マットレス保持ブラケットを利用する。しかし、使用者の身体は、マットレスの就寝面の縁部の近くに置かれた金属保持ブラケットに接触する可能性が高い。さらに、マットレスとマットレス保持ブラケットまたはフット・レールの間の寝具類に滑り込まなければならない場合に、寝具類をマットレスの下に挿入することは難しい。
【先行技術文献】
【特許文献】
【０００８】
【特許文献１】米国特許第５，７３７，７８３号
【発明の概要】
【発明が解決しようとする課題】
【０００９】
プラットフォーム・ベッドで使用することができ、マットレスが所望の設定状態に合い、保持ブラケットおよびフット・レールを使用することなく移動が防止される調節可能なベッドが望まれている。
【課題を解決するための手段】
【００１０】
自動調整式フォーム・マットレスは、支持部材、上部フォーム層、底部フォーム層、移動機構、バランス棒、およびマットレス・カバーを備えている。支持部材は、長手および横棒の支持フレームと、棒の間の金網パネルとを備えている。支持部材は、上部部分および下部部分の両方に回動可能に連結された中間部分を有する。支持部材はまた、下側部分が傾斜した場合に、中間部分と平行なままである脚部分を有する。上部、中間、下部および脚部分は、調節可能なマットレスが平らな設定状態にある場合に同一平面上にある。移動機構は、中間部分に対して上部部分および下部部分を回動させることによって、マットレスを傾けた設定状態に移動させる２つの電気モータを備えている。底部フォーム層は、支持部材の周りに成形される。底部フォーム層の成形フォームは、金網パネル内の孔の上に、下に、およびこれを通して流れる。パネルの網を通してより堅い高密度フォームを成形することによって、底部フォーム層は、より耐久性があり、調節可能なマットレスが耐用年数の間に何度も設定状態を変えても、裂けて支持部材から離れる可能性が低い。
【００１１】
上部フォーム層はその後、底部フォーム層の上部に糊付けまたは成形される。バランス棒は、中間部分の下で底部フォーム層の底部表面と同一平面上にある。上部部分が僅かに傾斜している場合に通常のマットレスが浮上している外観を与えるように、調節可能なマットレスが平らな設定状態である場合に、バランス棒は上部部分の下で半分より短く延びている。上部部分がバランス棒の底部表面の平面から５度傾斜している場合、支持部分、フォーム層、移動機構またはバランス棒のどの部分も、上部部分の上半分の真下に配置されない。マットレスが僅かに傾斜した場合に調節可能なマットレスが倒れるのを防ぐために、バランス棒は、マットレスが平らな設定状態にある場合に測定された上部部分の下で少なくとも３分の１に延びている。
【００１２】
支持部材、フォーム層、移動機構およびバランス棒は、伸縮性材料で作られたマットレス・カバー内に入れられている。調節可能なマットレスが傾けた設定状態にある場合、マットレス・カバーは、支持部材の上部部分の下でバランス棒と底部フォーム層の間で伸びる。
【００１３】
支持部材の様々な部分は、ポリ塩化ビニル（ＰＶＣ）座金を貫通するボルトによってヒンジで互いに回動可能に連結されている。ＰＶＣ座金は、様々な部分がその周りで回動する接合部できしむのを防ぎ、摩擦を少なくするために、従来の金属座金の代わりに使用されている。
【００１４】
別の実施形態では、自動調整式マットレスは、上部、中間および下部部分、およびバランス棒を備えている。上部部分は、上部フォーム層と底部フォーム層の間に配置された上側支持部材を有する。中間部は、上部および底部フォーム層の間に配置された中間支持部材を有する。そして、下側部分は、上部および底部フォーム層の間に配置された下側支持部材を有する。中間支持部材は、上側支持部材および下側支持部材の両方に回動可能に連結されている。バランス棒の底部表面は、中間部分で底部フォーム層の底部表面と同一平面である。バランス棒は、上部部分が平らな設定状態にある場合、上側支持部材と平行である。バランス棒は、上側部分が平らな設定状態にある場合、上側部分の下で半分より短く中間部の下から延びている。伸縮性材料で作られたマットレス・カバーは、上側部分、中間部分、下側部分およびバランス棒を入れている。
【００１５】
新規の自動調整式フォーム・マットレスを作る方法は、フォーム層を支持部材に取り付けるステップと、バランス棒を支持部材に連結するステップとを含んでいる。支持部材は、上側部分、中間部分、および下側部分を備えている。支持部材の上部部分は、上部部分の長手および横棒によって支持された網パネルを備えている。
【００１６】
底部フォーム層は、底部フォーム層を網パネルの上、下およびそこを通して成形することによって、支持部材に取り付けられている。その後、上部フォーム層は、底部フォーム層に取り付けられている。上部フォーム層は、底部フォーム層に糊付け、または底部フォーム層の上に成形することができる。上部および底部フォーム層が支持部材に取り付けられた後に、支持部材は全体的に、上部フォーム層の上部表面と底部フォーム層の底部表面の間に配置されている。
【００１７】
バランス棒はその後、バランス棒の底部表面が、中間部分の下で底部フォーム層の底部表面と同一平面であるように、支持部材に連結されている。バランス棒は、上側部分がバランス棒の底部表面と平行である場合、支持部材の上側部分の下で半分より短く延びている。上部フォーム層、支持部材、底部フォーム層およびバランス棒はその後、マットレス・カバー内に入れられている。
【００１８】
上部および底部フォーム層および棒の支持フレームを備えた調節可能なマットレスはまた、糊を使用することなく底部フォーム層を棒の支持フレームに取り付ける手段を備えている。この手段は、孔を有し、棒の支持フレームに取り付けられている。底部フォーム層のフォームは、孔の中に配置されており、底部フォーム層は、この手段の上、下およびこれを通して成形される。棒の支持フレームは全体的に、上部フォーム層の上部表面と底部フォーム層の底部表面の間に配置されている。棒の支持フレームは、上側部分、中間部分および下側部分を備えている。中間部分は、上側部分および下側部分の両方に回動可能に連結されている。上側、中間および下側部分は、調節可能なマットレスが平らな設定状態にある場合に同一平面上にある。
【００１９】
以下の詳細な説明で、さらなる詳細および実施形態を説明する。この要約は、本発明を規定することを意図していない。本発明は、特許請求の範囲によって規定される。
【００２０】
添付の図面は、本発明の実施形態を示している。
【図面の簡単な説明】
【００２１】
【図１】マットレスがフット・レールによって保持され、マットレスが上に載っている調節可能な支持部材の設定状態に単に部分的に一致している、従来の調節可能なベッドの斜視図（従来技術）である。
【図２】図２Ａは傾けた設定状態でバランス棒および一体化移動機構を備えた新規の自動調整式フォーム・マットレスの略図であり、図２Ｂは、図２Ａの調節可能なマットレスが平らな設定状態にある場合の、同マットレスの略図である。
【図３】マットレスの上側部分が５度だけ傾斜した場合の、図２Ａの調節可能なマットレスの上側部分を示す図である。
【図４】図２Ａのマットレスの支持部材の様々な部分がそれによって互いに回動可能に連結される手段の様々な略図である。
【図５】平らな設定状態での、図２Ａの調節可能なマットレスの支持部材の底面略図である。
【図６】図２Ａの調節可能なマットレスの底部フォーム層のフォームを成形するために使用されるテンプレートの底面図である。
【図７】ボックス・スプリング基部の上部を傾けた設定状態の自動調整式マットレスの斜視図である。
【図８】異なる視点からの図７の調節可能なマットレスを示す図である。
【図９】図７の調節可能なマットレスの底部フォーム層の底部表面の斜視図である。
【図１０】プラットフォーム・ベッド上の傾けた設定状態のマットレス・カバーを備えた図７の調節可能なマットレスの斜視図である。
【図１１】平らな設定状態の図１０の調節可能なマットレスの底部を示す図である。
【図１２Ａ】傾けた設定状態の図１０の調節可能なマットレスの略図である。
【図１２Ｂ】平らな設定状態の図１２Ａの調節可能なマットレスの略図である。
【図１３】平らな設定状態の図１２Ａの調節可能なマットレスの支持部材の底面略図である。
【図１４】図２の新規の自動調整式マットレスを作る方法のステップのフローチャートである。
【発明を実施するための形態】
【００２２】
図２Ａおよび２Ｂは、バランス棒および一体型移動機構を備えた自動調整式フォーム・マットレス２０の略図である。自動調整式マットレス２０は、マットレス内に一体化された支持部材２１を有する。マットレス２０は、従来の調節可能なベッドによって使用される別個の調節可能な支持部材なしに平らな設定状態を多数の傾けた設定状態の１つに調節することができる。マットレス２０は、典型的なフォーム・マットレスと同様に従来のボックス・スプリングまたはプラットフォーム・ベッド上に直接置くことができる。したがって、自動調整式マットレス２０の使用者は、既存のプラットフォーム・ベッドまたはボックス・スプリングおよびヘッドボードを保持し、古いマットレスを単純に交換することができる。マットレス２０の使用者は、プラットフォーム・ベッドまたはヘッドボードおよびフットボードの美的品質を諦める必要がない。
【００２３】
図２Ａは、読書をしたりテレビを観たりするのに快適である所定の１つの傾けた設定状態の調節可能なマットレス２０の側面図である。支持部材２１は、上側部分２２、中間部分２３、下側部分２４および脚部分２５を備えている。中間部分２３は、上側部分２２および下側部分２４の両方に回動可能に連結されている。下側部分２４は、脚部分２５に回動可能に連結されている。上側部分２２および中間部分２３は軸２６周りに回動し、中間部分２３および下側部分２４は軸２７周りに回動し、下側部分２４および脚部分２５は軸２８周りに回動する。２つの追加の昇降アーム２９〜３０は、脚部分２５および中心支持ビーム３１〜３２の両方に回動可能に連結されている。昇降アーム２９〜３０は、下側部分２４が傾斜するときに、脚部分２５を中間部分２３と平行なままにする。中心支持ビーム３１〜３２は、支持部材２１の中間部分２３に連結されている。
【００２４】
移動機構３３は、ギア、ケーブルおよび２つの電気モータを備えた細長い中心ユニットに入れられている。一方の電気モータは、上側部分２２を中心支持ビーム３１〜３２に対して傾斜させる。もう一方の電気モータは、昇降アーム２９〜３０を支持ビーム３１〜３２に対して傾斜させる。２つのバランス棒３４〜３５は、移動機構３３の両側で中心支持ビーム３１〜３２に連結されている。調節可能なマットレス２０はまた、上部フォーム層３６および底部フォーム層３７を備えている。上部フォーム層３６は、底部フォーム層３７の上に糊付け、積層または成形されている。上部フォーム層３６と底部フォーム層３７の間の境界は、図２Ａの点線３８で示されている。マットレス・カバー３９は、上部フォーム層３６、支持部材２１、底部フォーム層３７、移動機構３３およびバランス棒３４〜３５を入れている。マットレス・カバー３９は、上側部分２２が傾斜した場合に、上側部分２２の上縁部までバランス棒３４〜３５の上縁部から調節可能なマットレス２０の底部の上で伸びることができる、Ｓｐａｎｄｅｘ（登録商標）またはＬｙｃｒａ（登録商標）などの伸縮性材料で作られている。
【００２５】
上部フォーム層３６は、マットレス・カバー３９のちょうど下に調節可能なマットレス２０の就寝面を形成する上部表面４０を有する。底部フォーム層３７は、調節可能なマットレス２０が平らな設定状態にある場合に、ボックス・スプリングまたはプラットフォーム・ベッドの支持表面上でマットレス・カバー３９にある底部表面４１を有する。図２Ａに示す傾けた設定状態では、中間部分２３の下にある底部表面４１の一部だけが、ボックス・スプリングまたはプラットフォーム・ベッドにあり、底部表面４１の残りの部分が持ち上げられる。支持部材２１は、上部フォーム層３６の上部表面４０と底部フォーム層３７の底部表面４１の間に完全に配置されている。図２Ａの実施形態では、底部フォーム層３７は、支持部材２１の周りに成形され、支持部材２１を完全に入れている。上部フォーム層３６はその後、底部フォーム層３７の上部に糊付け、積層または成形されている。
【００２６】
図２Ｂは、睡眠に適当な平らな設定状態の調節可能なマットレス２０の側面図である。平らな設定状態では、上側部分２２、中間部分２３、下側部分２４および脚部分２５は同一平面上である。移動機構３３は、上部フォーム層３６の上部表面４０と底部フォーム層３７の底部表面４１の間に完全に配置された２つの電気モータを備えている。図２Ｂは、バランス棒３４の底部表面４２を示している。調節可能なマットレス２０が平らな設定状態である場合、バランス棒３４の底部表面４２は、底部フォーム層３７の底部表面４１と同一平面上にある。バランス棒３４は、調節可能なマットレス２０が平らな設定状態である場合に、上側部分２２の下に半分より短く延びている。図２Ｂは、上側部分２２が上半分４３および下半分４４を有することを示している。図２の実施形態では、上側部分２２が例えば、バランス棒３４の底部表面４２の平面から５度だけ僅かに傾斜している場合、調節可能なマットレス２０のどの部分も、上側部分２２の上半分４３の真下に配置されていない。
【００２７】
図３は、上側部分２２がバランス棒３４の底部表面４２の平面から５度だけ傾斜している場合の、調節可能なマットレス２０の上側部分を示している。上側部分２２が５度傾斜している場合、調節可能なマットレス２０のどの部分も、上側部分２２の上半分４３の真下では、バランス棒の底部表面の平面に配置されていない。したがって、調節可能なマットレス２０が傾斜している場合、バランス棒３４が比較的短く、マットレス２０の頭縁部および脚縁部に渡って全体的に延びていないので、通常のマットレスが昇降している外観がある。マットレス２０の使用者がマットレスの頭部に向かってスライドする場合に、上側部分２２が倒れるのを防ぐために、バランス棒３４は、調節可能なマットレス２０が平らな設定状態である場合に測定された上側部分２２の下の少なくとも３分の１だけ延びているべきである。
【００２８】
図４は、支持部材２１の様々な部分がそれによって軸２６〜２８周りで互いに回動可能に連結される手段を示している。図４は、下側部分２４と脚部分２５の間の連結の方向に対応しているが、下側部分２４と中間部分２３の間に連結、および中間部分２３と上側部分２２の間の連結に等しく当てはまる。下側部分２４の脚部分２５の長手棒は、接触しないが、むしろ短いリンク棒４５によって連結されている。支持部材２１の長手および横棒は、四角形の断面を備えた金属管である。リンク棒４５は、長手棒の四角形管より僅かに大きい四角形管の３方側の屈曲金属の山形鋼である。リンク棒４５の上部は開口しており、リンク棒４５は、下側部分２４および脚部分２５の長手棒の端部の３方側の周りに嵌合する。丸い断面と対照的な四角形を備えた管を使用することにより、安定性が加えられ、マットレス２０が調節されている間に支持部材２１が捩れるのを防ぐ。リンク棒４５は、２つのボルト４６〜４７によって脚部分２５の長手棒に取り付けられている。リンク棒４５は、ボルト４８によって下側部分２４の長手棒に回動可能に取り付けられている。下側部分２４および脚部分２５がその周りで回動する軸２８は、ボルト４８のシリンダの中心を通る。
【００２９】
軸２８周りの結合部できしむのを防ぎ、摩擦を少なくするために、従来の金属座金の代わりに、２つのポリ塩化ビニル（ＰＶＣ）座金４９〜５０が使用される。従来の金属ディスク座金が使用される場合と同様に、リンク棒４５の金属に接触する代わりに、ボルト４８はＰＶＣ座金４９〜５０内で回動する。図４は、ＰＶＣ座金４９が外側フランジ５１および内側フランジ５２の両方を有することを示している。外側フランジ５１は、ボルト４８の頭部とリンク棒４５の側部の間の結合部を緩衝する。内側フランジ５２は、リンク棒４５の側部と下側部分２４の長手棒の側部の間の結合部を緩衝する。金属間接触のみが、ボルト４８と下側部分２４の長手棒内の孔の壁面の間にある。ＰＶＣ座金は、リンク棒４５の側部の孔を通してフランジ５２をスナップ留めすることができるように、その周面を小さくすることを可能にする間隙５３をＰＶＣ座金が有する。
【００３０】
図５は、平らな設定状態の自動調整式フォーム・マットレス２０の底面略図である。支持部材２１は、図２にはっきり見える長手棒だけでなく、６つの横棒５５〜６０を備えた棒の支持フレームを備えている。加えて、支持部材２１は、長手棒の間に金網のパネルを備えている。金網は、長手および横棒に溶接またはねじ込まれている。上側部分２２、中間部分２３、下側部分２４および脚部分２５はそれぞれ、２つのパネルを有する。図５では、上側部分２２の１つのパネル６１だけが示されている。代替実施形態では、パネルは剛性プラスチック・シートで作られている。図５の底面図では、中心支持ビーム３１〜３２はそれぞれ、バランス棒３４〜３５の上にある。中心支持ビーム３１は、中間部分２３の１つの長手棒に取り付けられており、中心支持ビーム３２は中間部分２３のもう一方の長手棒に取り付けられている。
【００３１】
図５は、上側部分２２が中間部分２３の周りに回動する軸２６を示している。軸２６は、移動機構３３の第１の電気モータ６３によって回転される第１のシャフト６２の軸と同一線上にある。第１のシャフト６２が回転すると、第１のシャフト６２に取り付けられた昇降アーム６４〜６５は上側部分２２を傾斜させる。第２のシャフト６６は、移動機構３３の第２の電気モータ６７によって回転される。第２のシャフト６６が回転すると、第２のシャフト６６に取り付けられた昇降アーム２９〜３３は下側部分２４を傾斜させる。脚部分２５が、下側部分２４および昇降アーム２９〜３３の両方に回動可能に連結されているので、脚部分２５は、下側部分２４が傾斜したときに、中間部分２３と水平および平行なままである。
【００３２】
支持部材２１の金網パネルおよび横棒は、底部フォーム層３７の成形フォーム内に入れられている。網パネル内の孔は、成形フォームを網内の孔によりしっかり取り付けることができるので、中実平面パネルを使用することを凌ぐ利益を与える。長手および横棒の支持フレームの上側部分２２に取り付けられた網パネル６１は、糊を使用することなく棒の支持フレームに底部フォーム層３７を取り付ける手段を与える。成形フォームは、金網パネルの孔の上に、下に、およびこれを通して流れる。支持部材２１の様々な部分が傾斜および上昇すると、成形フォームは、支持部材２１の設定状態に一致する。底部フォーム層３７のフォームは、４つの片に成形され、長手棒、移動機構３３、第２のシャフト６６および横棒５８はフォーム内に入れられていない。
【００３３】
別の実施形態では、プラスチックのシートがパネルに使用されている。成形フォームは、糊を使用することなく、いくつかのタイプのプラスチックの平らな表面に直接付着することができる。プラスチック・パネルは、棒の支持フレームに糊付けされるまたはねじ止めされる。
【００３４】
さらに別の実施形態では、マットレス２０は、支持部材２１の上部の基盤のポケット・コイルを備えたスプリング・マットレスである。各ポケット・コイルは、織物ポケットの内側の別個の金属スプリングである。織物ポケットは、金網パネルに糊付けされ、その後、フォームは織物ポケットの間で金網パネルの周りに成形されている。フォームの包み込みは、ポケット・コイルの安定性を増し、ポケット・コイルの上にある量のフォームを与える。
【００３５】
図６は、底部フォーム層３７のフォームは４つの別個の片６９〜７２内に成形されているテンプレート６８を示している。テンプレート６８は、液体フォーム混合物が開口領域７３に流れ、長手棒、移動機構３３、第２のシャフト６６および横棒５８を覆うのを防ぐ。上部フォーム層３６は、任意の開口面積を有していないが、中実な矩形形状を有する。上部フォーム層３６の底部表面はその後、底部フォーム層３７の上部表面に糊付けされている。
【００３６】
別の実施形態では、第３のフォーム層は、底部フォーム層３７の底部に取り付けられている。第３のフォーム層はまた成形されており、底部フォーム層３７と同じ開口面積を有する。第３のフォーム層は、より耐久性があり、支持部材２１が調節可能なマットレス２０の耐用年数の間に何度も設定状態を変えても、裂けて網パネルから離れる可能性が低い、より堅い高密度フォームで作られる底部フォーム層３７より軟らかい。
【００３７】
一実施形態では、調節可能なマットレス２０は８インチの厚さである。底部フォーム層３７は、４インチの厚さであり、成形高密度（ＨＤ）フォームで作られている。上部フォーム層３６は、４インチの厚さであり、高密度フォームの第１の２インチ・サブ層および粘弾性（メモリ）フォームの第２の２インチ・サブ層で作られている。メモリ・フォームの第２のサブ層の上部表面は、上部フォーム層３６の上部表面４０である。別の実施形態では、第２のサブ層は、天然ラテックス発泡ゴムで作られている。本実施形態のツインＬＸサイズの調節可能なマットレス２０の寸法は、３８インチ×８０インチ×８インチである。このような調節可能なマットレスは、３９インチ×８１インチ×９インチの寸法を有する段ボール箱に嵌合する。したがって、調節可能なマットレス２０は小型であり、単一の箱内に運ぶことができる。一方、従来技術のベッド１０の移動機構１２および調節可能な支持部材１１は、典型的には、調節可能なマットレス２０を入れる箱とそれぞれほぼ同じ大きさの別個の箱内に運ばれる。また、支持部材２１の金属長手および横棒はフォーム内に入れられているので、マットレス２０が顧客に運ばれる間に、廊下、エレベータおよび壁面への損傷が生じる可能性が少ない。マットレス２０内の移動機構および支持部材は、運搬の際に完全に機能的であるので、ツールまたはアセンブリは必要ない。
【００３８】
図７は、ボックス・スプリング基部７４の上部で傾けた設定状態にある自動調整式フォーム・マットレス２０の斜視図である。マットレス・カバー３９は、マットレス２０から取り除かれている。バランス棒３４〜３５および移動機構３３は、傾斜した下側部分２４および持ち上げられた脚部分２５の下に見える。本実施形態では、持ち上げられた脚部分２５は全体的に、中間部分２３に水平または平行ではなく、むしろ僅かに傾斜している。バランス棒３４〜３５は、脚部分２５の下には延びておらず、それによって、自動調整式フォーム・マットレス２０が自動昇降している外観を与える。調節可能なマットレス２０のフォーム層を傾斜および昇降させるために、従来技術が必要とするような別個の調節可能な支持部材は使用されない。したがって、調節可能なマットレス２０は、別の方法では従来のマットレスを支持するボックス・スプリング基部７４の上部表面に直接置くことができる。調節可能なマットレス２０が平らな設定状態である場合、調節可能なマットレス２０の上側部分の下から突起する電源コード７５を除いて、マットレス２０はボックス・スプリングの上にある従来のマットレスのようである。電源コード７５は、標準的な壁面コンセント７６内にプラグ接続され、電力を移動機構３３の電気モータ６３および６７に与える。
【００３９】
図７の実施形態では、下側フォーム層３７の上部に成形されたより薄いＨＤフォーム層７７がある。より厚いメモリ・フォーム層７８はその後、薄いＨＤフォーム層に糊付けされている。例えば、１インチのＨＤフォーム層および３インチのメモリ・フォーム層は、図７の実施形態では上側フォーム層３６を含んでいる。
【００４０】
別の実施形態では、バランス棒３４〜３５は、ボックス・スプリング基部７４の上部表面にある長手スライド棒（図示せず）の軌道内でスライドする。スライド棒は、「壁掛け」機能を与えるために使用される。使用者の頭部が寝室用ランプの上にあるライト、本およびリモコンに隣接したままであるように、移動機構３３は、上側部分２２が傾斜すると、マットレス２０をマットレスの頭部に向かって移動させる。
【００４１】
図８は、異なる斜視面からの図７の実施形態を示している。上側部分２２は、図８には図示しない。下側フォーム層３７と上側フォーム層３６の間の不均一な境界７９は、下側フォーム層３７と上側フォーム層３６の薄いＨＤフォーム層７７が両方とも成形過程で作られることを示している。上側フォーム層３６のより厚いメモリ・フォーム層７８はその後、薄いＨＤフォーム層７７に糊付けされている。中間部分２３の長手棒の間に延びる金網パネルの１つの一部が、図８では移動機構３３の上にはっきり見える。テンプレート６８は、成形フォームが移動機構３３の周りでこの開口領域７３に入るのを防ぐ。調節可能なマットレス２０が平らな設定状態である場合、金網は屈曲し、移動機構３３の上部を覆う。平らな設定状態では、移動機構３３は、４方側が下側フォーム層３７のフォームによって、上部側がＨＤフォーム層７７のフォームによって囲まれている。マットレス・カバー３９は、移動機構３３の底部側を覆う。移動機構３３の６方側のうちの５つを厚いフォーム層で囲むことによって、動作しているモータ６３および６７の音が減衰される。
【００４２】
図９は、底部フォーム層３７の底部表面４１を見せるように、調節可能なマットレス２０がその側部に起立した状態の図７の実施形態を示している。通常の使用の際、底部表面４１は、マットレス・カバー３９、およびボックス・スプリング基部７４の支持表面の上にある。この態様では、成形フォーム用のテンプレートは、図６のテンプレート６８とは僅かに異なる。例えば、図９の底部フォーム層３７を成形するために使用されるテンプレートは、横棒５８がフォーム内に入れられるのを防止しない。この態様では、支持部材２１の長手棒の間の面積全体を覆う単一の金網８０がある。したがって、この態様は多数の金網パネルを備えていない。
【００４３】
図１０は、バランス棒３４〜３５および一体化された移動機構３３がマットレス・カバー３９に覆われた状態の、自動調整式フォーム・マットレス２０の斜視図である。マットレス２０は、傾けた設定状態で、プラットフォーム・ベッド８１の支持表面上に直接載っている。図１０の実施形態のバランス棒は、図８のバランス棒より、脚部分２５の下にさらに延びている。したがって、マットレス・カバー３９が脚部分２５とバランス棒３４〜３５の間で伸びる場合、マットレスが浮上している外観はそれほどない。それにも関わらず、パターン化織物でマットレス・カバー３９を作ることによって、病院および回復センターで見られる従来の調節可能なベッドのようではないプラットフォーム・ベッドの格好の良い外観をマットレス２０に与えることができる。加えて、マットレス２０が下にある支持部材の上で移動またはスライドするのを防ぐために、保持ブラケットまたはフット・レールが必要ない。
【００４４】
図１０の実施形態のバランス棒は図８のバランス棒よりさらに延びているが、マットレス２０がほぼ平らな設定状態であっても、マットレス・カバー３９は底部フォーム層３７の底部とバランス棒の端部の間にある角度を形成している。しかし、フォーム層の底部の下のマットレス・カバー３９の角度は、図２Ａおよび３の実施形態でよりはっきりしている。マットレスが浮上している外観をさらに与えるのに加えて、より短いバランス棒によって作り出されるフォーム層の下のマットレス・カバー３９のより鋭い角度によりまた、嵌合させたシートをマットレス２０のフォーム層の上で定位置によりしっかり保持することが可能になる。底部シートとも呼ばれる嵌合シートは、マットレスを覆うシートであり、マットレスの底部の周りでシートを共に引っ張り、シートがマットレスの上の定位置にあるのを助ける弾性継目を有する。別の方法では、嵌合シートは、全体的な継目の代わりに、４つの隅部それぞれに縫い付けられる弾性を有する。バランス棒がフォーム層の長さに近づくと、その後、フォーム層からバランス棒までマットレス・カバー３９内に狭い部分がほとんどなく、それによってフォーム層の底部の周りで締まるように、嵌合シートにリップ部が与えられる。図１０は、マットレス・カバー３９がバランス棒まで伸びる、底部フォーム層３７の底部の周りのリップ部を示している。嵌合シートは、このリップ部の周りに嵌合する。
【００４５】
図１０の実施形態では、マットレス・カバー３９は、２つのタイプの織物で作られている。底部フォーム層３７からバランス棒３４〜３５まで伸びる底部部分８２だけが、Ｓｐａｎｄｅｘ（登録商標）またはＬｙｃｒａ（登録商標）で作られている。マットレス・カバー３９の上部部分８３は、より容易にパターン化される、より軟らかくより厚い織物で作られている。バランス棒と底部フォーム層３７の間に伸びたマットレス・カバー３９の底部部分８２は、マットレスが傾けた設定状態の後に平らな設定状態に戻される場合に、ペットおよび小さな子供が自動調整式マットレス２０の下になるのを防ぐ。したがって、粉塵を移動機構３３および任意の露出したシャフトおよび棒から離しておくことに加えて、マットレス・カバー３９はまた安全機能も有する。底部部分８２はまた、電気モータ６３および６７の音が減衰するのを助ける。
【００４６】
図１１は、平らな設定状態の図１０のフォーム・マットレス２０の底部を示している。マットレス・カバー３９は実際には、２つの底部部分を有する。図１０でよく見える底部部分８２は、ジッパー８４を備えた上部部分８３の周面に取り付けられている。底部部分８２は、極めて伸縮性のある織物で作られており、バランス棒３４〜３５の底部表面を覆う。ジッパー８４に沿った上部部分８３と底部部分８２の境界は、フォーム層の底部の周りのリップ部の延長線であり、ここで嵌合させたシートの弾性バンドが、フォーム層の底部の周りにシートをしっかり引っ張る。第２の底部部分８５は、ジッパー８４のちょうど内側で、第２のジッパー８６で上部部分８３の周面に取り付けられている。第２の底部部分８５は、底部フォーム層３７の底部表面４１を覆っているが、底部フォーム層３７とバランス棒３４〜３５の間にある。マットレス２０が平らな設定状態から傾けた位置に位置決めされた場合、第２の底部部分８５は、底部フォーム層３７の底部表面４１に隣接したままであり、底部部分８２はバランス棒３４〜３５と底部フォーム層３７の間に伸びる。
【００４７】
図１２Ａおよび１２Ｂは、図１０の自動調整式マットレス２０の実施形態の略図である。図１２Ａは、図１２の実施形態が、図２の実施形態よりいくらか長いバランス棒を有することを示している。バランス棒３４は、図２の実施形態より、図１２の実施形態では下側部分２４および脚部分２５の下にさらに延びている。より長いバランス棒は、マットレス２０が傾けた設定状態である場合に人が脚部２５上に座った場合であっても、マットレス２０が倒れるのを防ぐ。
【００４８】
図１２の実施形態では、単一のフォーム層８７は、支持部材２１の周りに成形されている。マットレス・カバー３９の底部部分８２は、図２の実施形態より、底部フォーム層の縁部からはるかに離れて、マットレス・カバーの上部部分８３に取り付けられている。マットレス・カバー３９の底部８２がバランス棒まで伸び始めるところまで延びている、フォーム層８７の底部周りのリップ部８８は、図１１に示すリップ部よりいくらか幅広い。リップ部８８は、フォーム層８７の周りに嵌合し、マットレス２０上の定位置のままであるように、嵌合させたシートの弾性バンド用領域を与える。マットレス・カバー３９の上部部分８３は、あまり伸縮性のない織物で作られている。底部部分８２は、バランス棒と底部部分８２を上部部分８３に取り付けるジッパー８４の間に伸びている。図１２Ａはまた、フォーム層８７の底部表面４１を覆い、フォーム層８７とバランス棒３４〜３５の間にある第２の底部部分８５を示している。第２の底部部分８５は、マットレス２０が傾けた設定状態であっても、フォーム層８７の底部表面４１に隣接したままである。
【００４９】
図１２Ｂは、図１２の実施形態のバランス棒が脚部分２５および上側部分２２の下にどれだけ延びているかを示している。バランス棒３４はさらに、調節可能なマットレス２０が平らな設定状態である場合に、上側部分２２の下に半分より短く延びている。しかし、バランス棒３４は、調節可能なマットレス２０が平らな設定状態である場合に、組み合わせた下側部分２４および脚部分２５の下に半分より長く延びている。
【００５０】
図１２Ｂは、組み合わせた下側部分２４および脚部分２５の上半分８９および下半分９０を示している。バランス棒３４は、調節可能なマットレス２０が平らな設定状態である場合に、組み合わせた下側部分２４および脚部分２５の上半分８９を越えて延びている。
【００５１】
図１３は、平らな設定状態の図１２の自動調整式マットレス２０の実施形態の底面略図である。２つのバランス棒３４〜３５は、組み合わせた下側部分２４および脚部分２５の上半分８９を越えて延びている。図１３は、図１２の実施形態が、マットレス２０の使用者にマッサージを行うために使用される２つの追加の電気モータ９１〜９２を備えていることを示している。上側モータ９１は、マットレス２０の使用者の頸部および上背にマッサージを行う動作を生成し、下側モータ９２は、使用者の脚にマッサージを行う動作を生成する。
【００５２】
図１４は、自動調整式フォーム・マットレスを作る方法のステップ９３〜９６を示すフローチャートである。第１のステップ９３では、底部フォーム層３７は、フォームを棒および網の周りに成形することによって、支持部材２１に取り付けられている。ＨＤフォームを金網パネルの上下に、ならびに金網パネルの孔を通して成形するためにテンプレート６８が使用されている。テンプレート６８は、成形フォームが開口領域７３内に設置され、長手棒および移動機構３３を覆うのを防ぐ。
【００５３】
ステップ９４では、上部フォーム層３６は、底部フォーム層３７の上部に取り付けられている。一実施形態では、上部フォーム層３６は、底部フォーム層３７の上部表面に糊付けされたカット・メモリ・フォームのスラブである。別の実施形態では、上部フォーム層３６は２つのサブ層を備えている。高密度フォームの第１のサブ層は、底部フォーム層３７の上部表面の上に成形され、これに付着する。その後、メモリ・フォームの第２のサブ層は、第１のサブ層の上部表面に糊付けされている。メモリ・フォームの第２のサブ層の上部表面は、上部フォーム層３６の上部表面４０となる。ステップ９３〜９４の後、支持部材２１は、上部フォーム層３６の上部表面４０と底部フォーム層３７の底部表面４１の間に全体的に配置されている。
【００５４】
ステップ９５では、バランス棒３４〜３５は支持部材２１に連結されている。バランス棒３４は、中心支持ビーム３１の下に置かれ、中心支持ビーム３１に取り付けられており、中心支持ビーム３１は、中間部分２３の長手棒に取り付けられている。同様に、バランス棒３５は中心支持ビーム３２に取り付けられ、中間部分２３の他の長手棒に取り付けられている。バランス棒３４の底部表面４２は、中間部分２３の下で底部フォーム層３７の底部表面４１と同一平面上にある。バランス棒３４は、上側部分２２がバランス棒３４の底部表面４２と平行である場合に、上側部分２２の下で半分より短く延びている。
【００５５】
ステップ９６では、調節可能なマットレス２０全体は、マットレス・カバー３９内に入れられている。マットレス・カバー３９は、上部フォーム層３６、支持部材２１、底部フォーム層３７、移動機構３３およびバランス棒３４〜３５を囲んでいる。一実施形態では、マットレス・カバー３９の上部部分８３は、ステップ９５の前にマットレス２０のフォーム層の上に嵌合されている。その後、バランス棒３４〜３５が支持部材２１に連結された後、調節可能なマットレス２０全体は、マットレス・カバー３９の上部部分８３に底部部分８２を取り付け、それによってバランス棒を覆うために、ジッパー８４を使用することによって、マットレス・カバー３９内に入れられている。
【００５６】
特定の実施形態を教示の目的で上に記載されているが、本明細書の教示は、一般的適用性があり、上に記載した特定の実施形態に限るものではない。したがって、特許請求の範囲に記載した発明の範囲から逸脱することなく、記載した実施形態の様々な特徴の様々な変更形態、適用形態、およびその組合せを実施することができる。
【符号の説明】
【００５７】
１０  調節可能なベッド；  １１  支持部材；  １２  移動機構；  
１３  車輪付きのフレーム；  １４  マットレス；  １５  間隙；  
１６  フット・レール；  １７  左側；  １８  右側；  
２０  自動調整式フォーム・マットレス；  ２１  支持部材；  ２２  上側部分；  
２３  中間部分；  ２４  下側部分；  ２５  脚部分；  ２６、２７、２８  軸；  
２９、３０  昇降アーム；  ３１、３２  中心支持ビーム；  ３３  移動機構；  
３４、３５  バランス棒；  ３６  上部フォーム層；  ３７  底部フォーム層；  
３８  境界；  ３９  マットレス・カバー；  ４０  上部表面；  
４１、４２  底部表面；  ４３  上半分；  ４４  下半分；  ４５  リンク棒；  
４６、４７，４８  ボルト；  ４９、５０  ポリ塩化ビニル（ＰＶＣ）座金；  
５１  外側フランジ；  ５２  内側フランジ；  
５５、５６、５７，５８，５９、６０  横棒；  ６１  パネル；  
６２  第１のシャフト；  ６３  第１の電気モータ；  ６４、６５  昇降アーム；  
６６  第２のシャフト；  ６７  第２の電気モータ；  ６８  テンプレート；  
７３  開口領域；  ７４  ボックス・スプリング基部；  ７５  電源コード；  
７６  壁面コンセント；  ７７  ＨＤフォーム層；  ７８  メモリ・フォーム層；  
７９  境界；  ８０  金網；  ８１  プラットフォーム・ベッド；  ８２  底部部分；  
８３  上部部分；  ８４  ジッパー；  ８５  第２の底部部分；  
８６  第２のジッパー；  ８７  フォーム層；  ８８  リップ部；  ８９  上半分；  
９０  下半分；    ９１、９２  電気モータ；  ９３、９４、９５、９６  ステップ。
【図１】
2011218142.tif 000003
【図２】
2011218142.tif 000004
【図３】
2011218142.tif 000005
【図４】
2011218142.tif 000006
【図５】
2011218142.tif 000007
【図６】
2011218142.tif 000008
【図７】
2011218142.tif 000009
【図８】
2011218142.tif 000010
【図９】
2011218142.tif 000011
【図１０】
2011218142.tif 000012
【図１１】
2011218142.tif 000013
【図１２Ａ】
2011218142.tif 000014
【図１２Ｂ】
2011218142.tif 000015
【図１３】
2011218142.tif 000016
【図１４】
2011218142.tif 000017